(57)【要約】【課題】  入浴時に地震や火事などの緊急事態が発生した時、頭にかぶっていたヘアキャップが、一瞬で裸の体を隠すことができる着衣ともなる入浴時の避難用ヘアキャップを提供する。【解決手段】  肌の透けない、薄手の軽い生地で成り、人の胴体に巻き付けて使用することのできる着衣であって、横長の矩形状の生地体の上端ゴム部を含む縁辺全体の締止帯の両端とゴム部の両端部にスナップボタンを設けてあり、対向する縦辺に複数個のスナップボタンが等間隔で設置され、生地裏面において、ゴム部中心から左右約数ｃｍの位置にスナップボタンを設けてゴム部側キャップスナップと成し、対向的に下辺の中心から左右約数ｃｍの位置にスナップボタンを設けて裾側キャップスナップと成し、縦辺の下端に氏名等連絡先を記せるタグが取り付けてあることを特徴とする入浴時の避難用ヘアキャップである。【選択図】図１
2020111862.tif 000002
【特許請求の範囲】
【請求項１】
肌の透けない、薄手の軽い生地で成り、人の胴体に巻き付けて使用することのできる着衣であって、展開した状態において、横長の矩形状の生地体において、対向する横辺の一方側の縁沿い両端域を除いて、残余の中央域にゴム材を設置してゴム部となし、ゴム部を含む縁辺全体を締止帯と成し、
生地表面において、締止帯の両端とゴム部の両端部にスナップボタンを設けてあり、対向する縦辺の各々において、締止帯両端部のスナップボタンに続く形で、複数個のスナップボタンが等間隔で設置され、
生地裏面において、ゴム部中心から左右約数ｃｍの位置にスナップボタンを設けてゴム部側キャップスナップと成し、対向的に下辺の中心から左右約数ｃｍの位置にスナップボタンを設けて裾側キャップスナップと成し、
縦辺の左右が前開部を成し、前開部沿いの左右いずれかの下端手前位置に氏名等連絡先を記せるタグが取り付けてあり、
そのように構成された生地体を避難用ヘアキャップとして使用する場合は、上記の生地裏面を広げて平面置きした時に、ゴム部を前方にして、前開部のスナップボタンの締止帯側から１番目と２番目を止め合わせて輪状に形成し、その３番目のスナップボタン以降の左右に開いている前開部をそれぞれ内側に均等に巻き込んでいき、更に左右を合わせてねじりあげ、裾側キャップスナップをゴム部側キャップスナップに止め合わせることで避難用ヘアキャップとなるが、
この状態で着用していて、入浴時に地震や火事などの緊急事態が発生した時は、ヘアキャップを頭から取り、全てのスナップボタンをはずし、体の胸の上の位置に巻き、スナップボタンを止めて裸の体を隠す着衣とし、避難誘導に従って、落ち着いて行動できることを特徴とする入浴時の避難用ヘアキャップ。
【発明の詳細な説明】
【技術分野】
【０００１】  本発明は、入浴時に、地震や火事などの緊急事態が発生した時、頭にかぶっていたヘアキャップが、一瞬で裸の体を隠すことができる着衣になる入浴時の避難用ヘアキャップに関するものである。
【背景技術】
【０００２】  従来、入浴時に地震や火事などの緊急事態が発生した時、女性は手持ちのハンドタオルでは裸の体を隠せず、慌てて衣類を身に着けるため脱衣所に走ります。滑ったりの危険が伴い、また一瞬のためらいが命取りになります。
【特許文献１】
【発明の開示】
【発明が解決しようとする課題】
【０００３】  そのために、次のような問題点があった。
（イ）入浴時に地震や火事などの緊急事態が発生した時、女性は手持ちのハンドタオルでは裸の体を隠し切れず、不安からパニック状態になる。一瞬のためらいが命取りになる。
（ロ）慌てて、衣服を身に着けるため脱衣所に走り、滑ったりなど危険が伴う。
本発明は以上の問題点を解決しようとするものである。
【課題を解決するための手段】
【０００４】  肌の透けない、薄手の軽い生地で成り、人の胴体に巻き付けて使用することのできる着衣であって、展開した状態において、縦約８３ｃｍ、横約１１８ｃｍの矩形状の生地体において、対向する横辺の一方側の縁沿い両端域を除いて、残余の中央域にゴム材を設置してゴム部となし、ゴム部を含む縁辺全体を締止帯と成し、生地表面において締止帯の両端とゴム部の両端部にスナップボタンを設けてある。対向する縦辺の各々において、締止帯両端部のスナップボタンに続く形で、複数個のスナップボタンが等間隔で設置され、生地裏面においてゴム部中心から左右約数ｃｍの位置にスナップボタンを設けてゴム部側キャップスナップと成し、対向的に下辺の中心から左右約数ｃｍの位置にスナップボタンを設けて裾側キャップスナップと成す。縦辺の左右が前開部を成し、前開部沿いの左右いずれかの下端手前位置に氏名等連絡先を記せるタグが取り付けてある。
そのように構成された生地体を避難用ヘアキャップとして使用する場合は、上記の生地裏面を広げて平面置きした時に、ゴム部を前方にして、前開部のスナップボタンの締止帯側から１番目と２番目を止め合わせて輪状に形成し、その３番目のスナップボタン以降の左右に開いている前開部をそれぞれ内側に均等に巻き込んでいき、更に左右を合わせてねじりあげ、裾側キャップスナップをゴム部側キャップスナップに止め合わせることで避難用ヘアキャップとなる。この状態で着用していて、入浴時に地震や火事などの緊急事態が発生した時は，ヘアキャップを頭からとり、全てのスナップボタンをはずし、体の胸の上の位置に巻き、スナップボタンを止めて裸の体を隠す着衣とし、避難誘導に従って、落ち着いて行動することができる。
以上を特徴とする入浴時の避難用ヘアキャップである。
【発明の効果】
【０００５】  本発明は、入浴時に地震や火事などの緊急事態が発生した時、一瞬にして、裸の体を隠せる着衣ともなる避難用ヘアキャップである。従って、パニックに陥ることなく、落ち着いて行動できる。
また、使用した着衣は、簡単に避難用ヘアキャップに戻すことができる。
【発明を実施するための形態】
【０００６】  以下、本発明の実施の形態を説明する。
（イ）肌の透けない、薄手の軽い生地で成り、人の胴体に巻き付けて使用することのできる着衣であって、展開した状態において、縦約８３ｃｍ、横約１１８ｃｍの矩形状の生地体において、対向する横辺の一方側の縁沿い両端域を除いて、残余の中央域にゴム材を設置して、ゴム部（３）となし、ゴム部を含む縁辺全体を締止帯（４）となし、生地表面（２）において締止帯の両端とゴム部の両端部にスナップボタン（５ａ、５ａ′、５ｂ、５ｂ′）を設けてある。
（ロ）対向する縦辺の各々において、締止帯両端部にスナップボタンに続く形で、複数個のスナップボタン（５ｃ，５ｃ′、５ｄ，５ｄ′、５ｅ，５ｅ′）が等間隔で設置されている。
（ハ）生地裏面（９）においてゴム部中心から左右約数ｃｍの位置にスナップボタンを設けてゴム部側キャップスナップ（６ａ，６′）と成し、対向的に下辺の中心から左右約数ｃｍの位置にスナップボタンを設けて裾側キャップスナップ（７ａ，７ａ′）、と成す。
（二）縦辺の左右が前開部（８）を成し、前開部沿いの左右いずれかの下端手前位置に氏名等連絡先を記せるタグ（１０）を設ける。
本発明は、以上の構成よりなっている。
本発明を避難用ヘアーキャップ（１）として使用するときは、上記の生地裏面（９）を広げて平面置きした時に、ゴム部（３）を前方にして、前開部（８）のスナップボタンの締止帯側から１番目（５ａ，５ａ′）と２番目（５ｃ、５ｃ′）を止め合わせて輪状に形成し、その３番目のスナップボタン以降の左右に開いている前開部をそれぞれ内側に均等に巻き込んでいき、左右合わせてねじりあげ、裾側キャップスナップ（７ａ，７ａ′）をゴム部側キャップスナップ（６ａ，６ａ′）止め合わせることで避難用ヘアーキャップ（１）となる。この状態で着用していて、入浴時に地震や火事などの緊急事態が発生した時は、頭に被っていた避難用ヘアキャップ（１）を頭から取り、全てのスナップボタンをはずし、体の胸の上の位置に巻き、スナップボタンを止めて裸の体を隠す着衣とし、避難誘導に従って落ち着いて行動することができる。
また、使用した着衣は、簡単に上記のように避難用ヘアキャップに戻すことができる。
以上を特徴とする入浴時の避難用ヘアーキャップである。
【図面の簡単な説明】
【０００７】
【図１】本発明の使用状態を示す斜視図
【図２】本発明において、生地表面（ａ）及び生地裏面（ｂ）を展開して示した平面図
【図３】本発明において、着衣として使用する状態を示す斜視図
【符号の説明】
【０００８】１  避難用ヘアキャップ
２  生地表面
３  ゴム部
４  締止帯
５ａ    スナップボタン
５ａ′  スナップボタン
５ｂ    スナップボタン
５ｂ′  スナップボタン
５ｃ    スナップボタン
５ｃ′  スナップボタン
５ｄ    スナップボタン
５ｄ′  スナップボタン
５ｅ    スナップボタン
５ｅ′  スナップボタン
６ａ    ゴム部側キャップスナップ
６ａ′  ゴム部側キャップスナップ
７ａ    裾側キャップスナップ
７ａ′  裾側キャップスナップ
８      前開部
９      生地裏面
１０    タグ
【図１】
2020111862.tif 000003
【図２】
2020111862.tif 000004
【図３】
2020111862.tif 000005